(57)【要約】      （修正有）【課題】遠方からの視認が容易、識別性が高く、取り付けが容易、かつ盗難を防ぐことができる自動車識別カラープレートを提供する。【解決手段】所定長、所定幅から成る屈曲自在なカラーテープ３の両端にへッドプレート１、ならびにストッパープレートを装着し、ヘッドプレート１に自動車の鋼板に吸着させる磁石を装着すると共に、ヘッドプレート１を相互に結合するための連結構造を備えて構成するカラープレートを複数個連結して自動車識別カラープレートを構成し、ドアを開いた状態でヘッドプレート１を自動車の外表面に磁力で吸着固定し、ストッパープレートを車内に留める状態でドアを閉めることにより、カラーテープ３をドアフレームとボディーフレームの間に挟み込んで固定する。【選択図】図１
0003195903.tif 000002
【実用新案登録請求の範囲】
【請求項１】
駐車場に駐車した自動車の駐車位置を視認するための自動車識別具に関して、所定長、所定幅から成る屈曲自在なカラーテープの両端にヘッドプレート、ならびにストッパープレートを装着し、ヘッドプレートに自動車の鋼板に吸着させる磁石を装着するとともに、ヘッドプレートを相互に結合するための連結構造を備えて構成するカラープレートを所要数連結して構成する自動車識別カラープレート。
【請求項２】
ストッパープレートに磁石、または金属などを装着してカラーテープに所要の加重を付加する、請求項１に記載する自動車識別カラープレート。
【考案の詳細な説明】
【技術分野】
【０００１】本考案は、駐車場に駐車した自動車の駐車位置を容易に視認するための自動車識別具に関するものである。
【背景技術】
【０００２】駐車場に駐車した自動車を容易に視認するための識別具としては、アンテナを特殊な形状のものに変更したり、アンテナに旗や人形などの目印を取り付けるなどの方法が採用されているが、アンテナの形状は限られており、旗や人形などの視認性はそれ程高くなく簡単に取り外しができるため持ち去られる危険が有るなど、いずれの方法も多くの課題を有している。
【考案が解決しようとする課題】
【０００３】自動車は類似した型、デザイン、色などが多いため、ショッピングセンター、遊園地などの広大な駐車場に駐車した場合に多くの車の中から自分の車を探し出すことは容易ではない。唯一の識別手段はナンバープレートの番号を確認することであるが、ナンバープレートは車の前後の低い位置に取り付けられているため見え難く、特に離れた場所から視認することは容易ではない。しかるに、遠方からの視認が容易、識別性が高く、取り付けが容易、かつ盗難を防ぐことができる自動車識別具が求められている。
【課題を解決するための手段】
【０００４】所定長、所定幅から成る屈曲自在なカラーテープの両端にヘッドプレート、ならびにストッパープレートを装着し、ヘッドプレートに自動車の鋼板に吸着させる磁石を装着すると共に、ヘッドプレートを相互に結合するための連結構造を備えて構成するカラープレートを複数個連結して自動車識別カラープレートを構成し、ドアを開いた状態でヘッドプレートを自動車の外表面に磁力で吸着固定し、ストッパープレートを車内に留める状態でドアを閉めることにより、カラーテープをドアフレームとボディーフレームの間に挟み込んで固定する。
【考案の効果】
【０００５】自動車を探すための識別具としては、文字や数字などの形状マークと比較して、色であれば相当遠方まで高い視認性を有し、複数の色を使用すれば自動車の特定も容易になる。本考案は色による視認性の高さ、ならびに複数の色による識別性の高さを利用するものであり、異なる色のカラーテープを備える複数個のカラープレートを連結して自動車識別カラープレートを構成し、カラープレートにおけるカラーテープの色、配列順を任意に設定することにより独自で高い識別性を備えることが出来る。
【０００６】自動車への装着に関しては、ドアを開いた状態でヘッドプレートを自動車の外表面に磁力で吸着固定して風などによる飛散、移動を防ぎ、ストッパープレートをドアの内側に垂らした状態でドアを閉める簡単な操作により、ストッパープレートは車内に留められるとともに、カラーテープがドアフレームとボディーフレームの間に挟み込まれて固定されるため、ドアが閉められた状態ではストッパープレートによりテープを引き抜くことは出来ないためカープレートを取り外すことは容易ではない。このようにして、遠方からの視認が容易、識別性が高く、取り付けが容易、かつ盗難を防ぐことができる自動車識別具が実現される。なお、請求項２に記載するごとくストッパープレートに磁石、または金属などを装着して所要の加重を付与することにより、自動車への装着時にストッパープレートをドアの内側に確実に垂らすことが出来るために装着の容易性が高まる。
【考案を実施するための形態】
【０００７】本考案によるカラープレートを自動車に装着した状態を図１に示す。図２はカラープレートの基本的な構成図を示し、１は樹脂製で磁石を内装するヘッドプレート、２は樹脂製のストッパープレート、３は屈曲自在のカラーテープ、４は磁石、５，６はカラープレートの連結材を示す。カラーテープは図２に示すように、所定の長さでヘッドプレート、ストッパープレートに装着してカラープレートを形成する。カラープレートにおけるカラーテープの好きな色を好きな順に連結して自動車識別カラープレートを形成することにより、識別性を高めるとともに自分のプレート色を忘れることも無い。図３は４個のカラープレートを連結して自動車識別カラープレートを形成した図であり、連結個数は任意である。
【０００８】図４はカラープレートを自動車に装着する場合の説明図であり、ドアを開いた状態でヘッドプレートを自動車の外表面に磁力で吸着固定して風などによる飛散、移動を防ぎ、ストッパープレートをドアの内側に垂らした状態でドアを閉める簡単な操作により、ストッパープレートは車内に留められるとともに、カラーテープがドアフレームとボディーフレームの間に挟み込まれて固定されるため、ドアが閉められた状態ではカープレートを簡単に取り外すことは出来ない。
【実施例】
【０００９】カラーテープは長５０ｍｍ、幅２５ｍｍ、厚１ｍｍのアクリルテープでカラープレートを構成する。ヘッドプレート１はＡＢＳ樹脂で長３５ｍｍ、幅２０ｍｍとし、Φ１０×３ｍｍの円柱状ネオジゥム磁石を内装する。ストッパープレート２はＡＢ樹脂で長さ３５ｍｍ，幅１５ｍｍとした。ヘッドプレート１は連結材５，６の嵌め合いで複数個を連結して自動車識別カラープレートを構成している。本実施例ではカラーテープの色を４色とするが、設定するカラーテープの色をＪＩＳＣ５０６２で規定される抵抗のカラーコードに合わせて選定する場合は、カラーテープ４本で自動車のナンバープレートに表示される４桁の一連指定番号をカラーテープの色で表現することも可能である。【００１０】カラープレートは多数の色を揃えてその中から適切な色を選定して連結すれば、識別表示能力を高くすることが出来る。カラーテープの材質はアクリルテープに限らず塩化ビニール、ナイロンなどのテープ、ベルト、紐など、プレートの材質はＡＢＳに限らず塩化ビニール、ポリプロピレンなどでも良く、磁石の材質はフェライトなどでも良く、カラープレートを連結する部材としては磁石と強磁性体でも良い。また、ストッパープレートに関しては樹脂を使用せずカラーテープの端部を直接折り返してストッパープレートを形成することも可能である。このようにして、遠方からの視認が容易、識別性が高く、取り付けが容易、かつ盗難を防ぐことができる自動車識別カラープレートが提供される。また、各種の材質、機能、性能、ディメンジョンなどに関しては、本考案の趣旨を逸脱しない範囲であれば種々変形実施が可能である。
【図面の簡単な説明】
【００１１】
【図１】自動車識別カラープレートを自動車に装着した状態を示す概念図
【図２】カラープレートの基本的な構成概念図
【図３】自動車識別カラープレートの構成概念図
【図４】自動車識別カラープレートの自動車への装着方法を示す概念図
【符号の説明】１  ヘッドプレート
２  ストッパープレート
３  カラーテープ
４  磁石
５  連結材
６  連結材
【図１】
0003195903.tif 000003
【図２】
0003195903.tif 000004
【図３】
0003195903.tif 000005
【図４】
0003195903.tif 000006